【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
少なくとも１つの合成、半合成及び/又は天然のポリマー系コーティングと、このコーティングで被覆される基板表面との間の接着促進剤としての、
ａ）少なくとも２つの末端エチレン性不飽和二重結合を有する少なくとも１つの化合物とともに、
少なくとも１つの加水分解性シラン基を有する少なくとも１つのアミノシラン及び/又はチオシラン、
並びに、少なくとも１つの更なるモノアミン及び/又は少なくとも２つのアミノ基を有するポリアミン（但し、このモノアミン及び/又はポリアミンは、加水分解性シラン基を含まないが、少なくとも１つの１級又は２級アミノ基を含有する）の
場合によりオリゴマーである末端Ｃ＝Ｃ二重結合を含まない少なくとも１つの付加生成物、
及び/又は、
ｂ）少なくとも１つのモノアミン及び/又は少なくとも２つのアミノ基を有するポリアミン（但し、このモノアミン及び/又はポリアミンは、加水分解性シラン基を含まないが、少なくとも１つの１級又は２級アミノ基を含有する）と組み合わせて、少なくとも１つの末端ヒドロキシル基及び少なくとも１つの末端エチレン性不飽和二重結合を有する少なくとも１つの化合物とともに、
少なくとも１つの加水分解性シラン基を含有する少なくとも１つのイソシアネートシラン及び/又はエポキシシランの
場合によりオリゴマーである末端Ｃ＝Ｃ二重結合を含まない少なくとも１つの付加生成物
の使用であって、前記コーティングの総重量に対して５重量％未満の量での使用。
【請求項２】
前記付加生成物ａ）を調製するための使用される末端二重結合を含有する化合物が、二重結合として、（メタ）アクリレート基、好ましくはアクリレート基を有しており、かつ、前記付加生成物ｂ）を調製するために使用される化合物が、末端二重結合として、少なくとも１つの末端ヒドロキシル基だけでなく、少なくとも１つのアクリレート又はメタクリレート基、好ましくは少なくとも１つのアクリレート基をも有することを特徴とする請求項１に記載の使用。
【請求項３】
前記付加生成物ａ）及びｂ）のそれぞれが、シラン成分との反応により、少なくとも１つのオリゴマー、好ましくはポリマーの付加成分から誘導されることを特徴とする請求項１又は２に記載の使用。
【請求項４】
前記付加生成物ａ）及び/又はｂ）を調製するためにシラン成分と反応する多官能性化合物が、相当する官能性末端基を有する飽和ポリエステルポリエーテル、飽和ポリエステルアミド、ポリアミド、飽和ポリエステル及び/又はポリエーテルから誘導されることを特徴とする請求項１〜３のいずれか１項に記載の使用。
【請求項５】
前記使用されるポリエーテル、ポリエステル又はポリエステルポリエーテル成分が、いずれの場合も、
末端基として、少なくとも２つのエチレン性不飽和二重結合を有するか、
又は、少なくとも１つの末端エチレン性不飽和二重結合及び少なくとも１つの末端ヒドロキシル基を有することを特徴とする請求項４に記載の使用。
【請求項６】
ポリエーテルとして、ポリエチレンオキシド、ポリプロピレンオキシド、これらの混合物、これらのコポリマー、これらのブロックコポリマー、及びビスフェノールとエピクロロヒドリンとのポリエーテル縮合生成物からなる群から選択される少なくとも１つのポリエーテルが使用され、ポリエステルとして、ジオールと飽和ジカルボン酸とのポリエステル、ラクトン、好ましくはε−カプロラクトン又はδ−バレロラクトンから形成されるポリエステル及びポリカーボネートからなる群から選択される少なくとも１つポリエステルが使用されることを特徴とする請求項４又は５に記載の使用。
【請求項７】
一般式：
【化１】
2013503212.tif 000001
［式中、
Ａは、エポキシド基、グリシジルオキシ基、イソシアネート基、−ＳＨ基又は−Ｎ（Ｈ）−Ｘ基であり、ここで、Ｘは、水素、場合により枝分かれした１〜１２個のＣ原子を有するアルキルラジカル、６〜１０個のＣ原子を有するアリールラジカル、又は４〜６個のＣ原子を有するシクロアルキルラジカルであり、これらのＸラジカルはそれぞれ１つ以上の１級又は２級アミノ基により置換されていてもよく、もしくはｍが整数２の場合、Ａは−ＮＨ基であり、
Ｒ０は、場合により枝分かれした１〜１２個のＣ原子を有するアルキレンラジカル、４〜６個のＣ原子を有するシクロアルキレンラジカル、又は６〜１０個のＣ原子を有するアリーレンラジカルであり、
Ｒ１は、Ｒ２及びＲ３と同じか又は異なり、場合により枝分かれした１〜７個のＣ原子、好ましくは１〜３個のＣ原子を有するアルキルラジカル、ハロゲン、−Ｏ−Ｃ(＝Ｏ)−Ｒ４基又は−ＯＲ４基であり、ここで、Ｒ４は、同じか又は異なるものであり、水素、メトキシエチル基又は場合により枝分かれした１〜７個のＣ原子、好ましくは１〜３個のＣ原子を有するアルキルラジカル又は４〜６個のＣ原子を有するシクロアルキルラジカルであり、
Ｒ２は、Ｒ１及びＲ３と同じか又は異なり、場合により枝分かれした１〜７個のＣ原子、好ましくは１〜３個のＣ原子を有するアルキルラジカル、−Ｏ−Ｃ(＝Ｏ)−Ｒ４基、ハロゲン又は−ＯＲ４基であり、ここで、Ｒ４は、同じか又は異なるものであり、水素、メトキシエチル基又は場合により枝分かれした１〜７個のＣ原子、好ましくは１〜３個のＣ原子を有するアルキルラジカル又は４〜６個のＣ原子を有するシクロアルキルラジカルであり、
Ｒ３は、Ｒ１及びＲ２と同じか又は異なり、−Ｏ−Ｃ(＝Ｏ)−Ｒ４基、ハロゲン又は−ＯＲ４基であり、ここで、Ｒ４は、同じか又は異なるものであり、水素、メトキシエチル基又は場合により枝分かれした１〜７個のＣ原子、好ましくは１〜３個のＣ原子を有するアルキルラジカル又は４〜６個のＣ原子を有するシクロアルキルラジカルであり、
ｍは、整数１又は２である］
の化合物が、少なくとも１つの加水分解性シラン基を含有する化合物として、使用されることを特徴とする請求項１〜６のいずれか１項に記載の使用。
【請求項８】
前記付加生成物ａ）が、アミノシランと、少なくとも２つのアミノ基を有するポリアミン少なくとも１つとの組合せを使用して調製され、前記ポリアミンが、少なくとも１つの第１級アミノ基と、少なくとも１つの第２級アミノ基又は他の第１級アミノ基とを有することを特徴とする請求項１〜７のいずれか１項に記載の使用。
【請求項９】
前記接着促進剤が、前記コーティング材中の成分として使用されるか、又は前記被覆される基板表面上の予備コーティング中の少なくとも１つの成分として適用されることを特徴とする請求項１〜８のいずれか１項に記載の使用。
【請求項１０】
前記コーティング材が、コーティングの製造時に、前記接着促進剤として存在する前記付加生成物ａ）及び/又はｂ）の少なくとも１つの官能基と少なくとも部分的に反応する少なくとも１つの成分に基づくものであり、前記コーティング材が、好ましくは少なくとも１つのポリウレタン、飽和ポリエステル、ポリアミド、ポリオレフィン、ポリ塩化ビニル、ポリスチレン、ポリカーボネート、ポリ（メタ）アクリレート、アクリロニトリル−ブタジエン−スチレンコポリマー、不飽和ポリエステル、エポキシ樹脂、フェノール−ホルムアルデヒド樹脂、メラミン樹脂、フェノール樹脂、シリコーン樹脂、ポリラクチド、セルロースエーテル又はセルロースエステル又は前記ポリマーの少なくとも２つの混合物に基づくものであることを特徴とする請求項１〜９のいずれか１項に記載の使用。
【請求項１１】
前記コーティングは、その官能基が、表面コーティングの形成時に、前記接着促進剤ａ）及び／又はｂ）の官能基と少なくとも部分的に反応する硬化バインダー系に基づく表面コーティング膜の形状で存在することを特徴とする請求項１〜９のいずれか１項に記載の使用。
【請求項１２】
前記硬化されるバインダー系が、
ｉ．少なくとも２つのエポキシド末端基を有する少なくとも１つの化合物と、少なくとも１つの硬化成分とを含む硬化性バインダー系、
ｉｉ．アルコキシシラン基又はシラノール基を有する化合物を含む硬化性バインダー系、
ｉｉｉ．カルボン酸基を有する少なくとも２官能性のポリマー、好ましくはポリエステルと、分子当たり少なくとも２つのエポキシ基又は少なくとも２つのＯＨ基を有する少なくとも１つの化合物とを含む硬化性バインダー系、
ｉｖ．少なくとも１つのポリアクリレート−又はポリエステル／メラミン−ベースバインダーを含む硬化性バインダー系、
ｖ．少なくとも２つのエチレン性不飽和基を有するポリマー、及び場合により、これらの官能基と共重合可能な少なくとも１つの反応性希釈剤を含む放射線硬化性バインダー系、
ｖｉ．少なくとも２官能性のポリエステルアミド及び／又はポリアミドイミド−ベースバインダーを少なくとも１つ含む硬化性バインダー系、
ｖｉｉ．そのイソシアネート基が場合によりブロックされた形状である少なくとも１つの少なくとも２官能性のイソシアネート化合物と、少なくとも１つの少なくとも２官能性のイソシアネート反応性成分とを含む硬化性バインダー系、
ｖｉｉｉ．少なくとも２つのエポキシド末端基を有する少なくとも１つのポリマーと、フェノール樹脂とを含む硬化性バインダー系及び／又は、
ｉｘ．少なくとも１つのアミノ樹脂、好ましくはメラミン樹脂又は尿素樹脂を含む硬化性バインダー系
に基づくものであることを特徴とする請求項１〜９又は１１のいずれか１項に記載の使用。
【請求項１３】
前記基板表面が、場合により前処理された及び／又はプレクリーニングされた及び／又は不動態化された金属表面、好ましくはアルミニウム、鉄、銅、亜鉛、スズ、真鍮、ブロンズの表面、及び／又は金属合金表面、アルミニウム合金又は鉄合金、更に好ましくはステンレススチールを含む鋼の表面、プラスチック表面、好ましくは場合により充填され及び／又は繊維強化された熱可塑性物質、熱硬化性樹脂又は弾性プラスチック、又は前記プラスチック少なくとも２つの混合物の表面、ガラス表面、セルロース材料の表面、好ましくは紙表面、更に詳細には、場合によりガラス繊維、プラスチック繊維及び／又は炭素繊維で強化されていてよい未処理又は前処理され、更に好ましくは浸され、モルデントされたか又は浸漬された紙の表面、場合により前処理された木材表面、又は既存の、場合により使い尽くされたか又は風化されたコーティング表面、好ましくは、場合により充填され及び／又は着色されたエポキシ樹脂、アルキド樹脂又はアクリレート樹脂に基づくコーティングの表面であることを特徴とする請求項１〜１２のいずれか１項に記載の使用。
【請求項１４】
好ましくは対象物又は物品の表面として、前記基板表面がシート様の広がりを有することを特徴とする請求項１〜１３のいずれか１項に記載の使用。
【請求項１５】
対象物又は物品であって、その金属表面、好ましくはアルミニウム、鉄、銅、亜鉛、スズ、又は金属合金、好ましくはアルミニウム合金又は鉄合金、真鍮又はブロンズの表面、又はそのプラスチック表面、又はそのガラス表面、又はセルロース材料表面が、接着促進剤として請求項１〜８のいずれか１項に記載の付加生成物ａ）及び／又はｂ）の少なくとも１つを使用して製造されたコーティングを備えている対象物又は物品。
【請求項１６】
前記コーティングが、層状又は膜状であり、合成、半合成及び／又は天然のポリマー系である請求項１５に記載の対象物又は物品。
【請求項１７】
前記コーティングが、請求項１０に記載のポリマー系であることを特徴とする請求項１５又は１６に記載の対象物又は物品。
【請求項１８】
対象物又は物品であって、その表面が、請求項１５又は１６に記載のコーティングを備えており、このコーティングが、請求項１〜８のいずれか１項に記載の付加生成物ａ）及び／又はｂ）の少なくとも１つを使用して、請求項１１又は１２に記載の硬化バインダー系に基づく表面コーティング膜の形状で存在する、対象物又は物品。